(57)【要約】【課題】原稿のオリジナルデータ部とそれに手書きで加えた手書きメモ部を区別して抽出することができ、また原稿のオリジナルデータ部のみ、または手書きメモ部のみ、あるいは原稿のオリジナルデータ部と手書きメモ部の双方を選択出力することができる画像入出力装置等を提供する。【解決手段】原稿に付加されたコード情報を解読し、解読したコード情報に基づき、予め保存手段に保存された前記原稿のオリジナルデータを抽出する。抽出したオリジナルデータと画像読み取り手段によって読み取られた前記原稿の画像データとを比較してその差分をとり、前記原稿のオリジナル原稿部とそれ以外の追記部を判別する。そして、前記原稿のオリジナル原稿部と追記部の何れか一方または両方を選択して出力する。【選択図】　　　　図２
2004080601.tif 000002
【特許請求の範囲】
【請求項１】
原稿を読み取って画像データを生成する画像読み取り手段と、
前記原稿に付加された特定情報を解読する解読手段と、
前記解読手段で解読した特定情報に基づき、予め保存手段に保存された前記原稿のオリジナルデータを抽出する抽出手段と、
前記抽出手段によって抽出したオリジナルデータと前記画像読み取り手段によって読み取られた画像データとを比較してその差分をとり、前記原稿のオリジナル原稿部とそれ以外の追記部を判別する判別手段とを備えたことを特徴とする画像処理装置。
【請求項２】
前記原稿のオリジナル原稿部と追記部の何れか一方または両方を選択して出力する手段を備えたことを特徴とする請求項１記載の画像処理装置。
【請求項３】
前記特定情報は、前記オリジナルデータの所在あるいは作成者に関する情報を含むコード情報であることを特徴とする請求項１または２記載の画像処理装置。
【請求項４】
前記画像読み取り手段で読み取られた原稿の読み取り画像データを当該原稿のオリジナルデータとして前記保存手段に保存する保存制御手段と、
前記コード情報を付加して前記読み取り画像データをプリント出力するプリント手段とを備えたことを特徴とする請求項３記載の画像処理装置。
【請求項５】
原稿を読み取って画像データを生成する画像読み取り手段と、
前記画像読み取り手段で読み取られた画像データを前記原稿のオリジナルデータとして保存手段に保存する保存制御手段と、
前記オリジナルデータの所在あるいは作成者に関する情報を含む特定情報を付加して前記画像データをプリント出力するプリント手段とを備えたことを特徴とする画像処理装置。
【請求項６】
外部装置から受信した原稿ファイルを当該原稿のオリジナルデータとして保存手段に保存する保存制御手段と、
前記オリジナルデータの所在あるいは作成者に関する情報を含む特定情報を付加して前記原稿ファイルをプリント出力するプリント手段とを備えたことを特徴とする画像処理装置。
【請求項７】
原稿の画像データを入力しこの画像データに対して所定の出力処理を行う画像入出力装置と、前記画像入出力装置と通信媒体を介して接続されたサーバ装置とクライアント装置を備えた画像処理システムにおいて、
前記画像入出力装置は、
原稿を読み取って画像データを生成する画像読み取り手段と、
前記原稿に付加された特定情報を解読する解読手段と、
前記解読手段で解読した特定情報に基づき、予め前記サーバ装置に保存された前記原稿のオリジナルデータを抽出する抽出手段と、
前記抽出手段によって抽出したオリジナルデータと前記画像読み取り手段によって読み取られた画像データとを比較してその差分をとり、前記原稿のオリジナル原稿部とそれ以外の追記部を判別する判別手段とを備えたことを特徴とする画像処理システム。
【請求項８】
前記画像入出力装置または前記クライアント装置に、前記原稿のオリジナル原稿部と追記部の何れか一方または両方を選択する手段を設け、その選択結果を前記画像入出力装置で出力処理することを特徴とする請求項７記載の画像処理システム。
【請求項９】
前記特定情報は、前記オリジナルデータの所在あるいは作成者に関する情報を含むコード情報であることを特徴とする請求項７または８記載の画像処理システム。
【請求項１０】
前記画像入出力装置は、
前記画像読み取り手段で読み取られた原稿の読み取り画像データを当該原稿のオリジナルデータとして前記サーバ装置に保存する保存制御手段と、
前記コード情報を付加して前記読み取り画像データをプリント出力するプリント手段とを備えたことを特徴とする請求項９記載の画像処理システム。
【請求項１１】
前記画像入出力装置は、
前記クライアント装置から送信された原稿のファイルを当該原稿のオリジナルデータとして前記サーバ装置に保存する保存制御手段と、
前記コード情報を付加して前記原稿のファイルをプリント出力するプリント手段とを備えたことを特徴とする請求項９記載の画像処理システム。
【請求項１２】
原稿のオリジナルデータを保存手段に保存すると共に、前記オリジナルデータの所在あるいは作成者に関する情報を含むコード情報を付加して前記オリジナルデータを予めプリント出力しておき、
前記プリント出力された原稿を前記画像読み取り手段で読み取ると共に、該原稿に付加された前記コード情報を解読する解読行程と、
前記解読行程で解読したコード情報に基づき、前記保存手段に保存された前記オリジナルデータを抽出する抽出行程と、
前記抽出手段によって抽出したオリジナルデータと前記画像読み取り手段によって読み取られた画像データとを比較してその差分をとり、前記原稿のオリジナル原稿部とそれ以外の追記部を判別する判別行程とを実行することを特徴とする画像処理方法。
【請求項１３】
コンピュータで実行可能な制御プログラムであって、
原稿を読み取って画像データを生成する画像読み取りステップと、
前記原稿に付加された特定情報を解読する解読ステップと、
前記解読ステップで解読した特定情報に基づき、予め保存手段に保存された前記原稿のオリジナルデータを抽出する抽出ステップと、
前記抽出ステップによって抽出したオリジナルデータと前記画像読み取りステップによって読み取られた画像データとを比較してその差分をとり、前記原稿のオリジナル原稿部とそれ以外の追記部を判別する判別ステップとを備えたことを特徴とする制御プログラム。
【発明の詳細な説明】
【０００１】
【発明の属する技術分野】
本発明は、ネットワークまたは公衆回線等の通信媒体に接続された画像入出力装置等に関するものである。
【０００２】
【従来の技術】
ネットワークまたは公衆回線に接続された画像入出力装置を備えた画像処理システム（マルチファンクションシステム）は、従来より一般的に知られている。かかるシステムの画像入出力装置においては、原稿から読み取った画像データを印刷出力したり、あるいは電子メールに添付して送信したりすることが行われている。
【０００３】
【発明が解決しようとしている課題】
しかしながら、上記従来の画像入出力装置では、原稿が大元の原稿に手書きでメモ書きをしたものである場合には、読み取った原稿画像データを印刷出力する際に、公にできないメモ書き部分も出力してしまう、またメモの上書きによってオリジナル原稿が解読できなくなる、といった問題があった。
【０００４】
すなわち、従来の画像入出力装置では、原稿上の手書きメモ部とオリジナル原稿部を識別することができず、読み取った画像データから手書きメモ部を削除したり、オリジナル原稿とは別に保存あるいは印刷するといったことができない。
【０００５】
本発明は上記従来の問題点に鑑み、原稿のオリジナルデータ部とそれに手書きで加えた手書きメモ部を区別して抽出することができ、また原稿のオリジナルデータ部のみ、または手書きメモ部のみ、あるいは原稿のオリジナルデータ部と手書きメモ部の双方を選択出力することができる画像入出力装置等を提供することを目的とする。
【０００６】
【課題を解決するための手段】
上記目的を達成するために、本発明の画像処理装置では、原稿を読み取って画像データを生成する画像読み取り手段と、前記原稿に付加された特定情報を解読する解読手段と、前記解読手段で解読した特定情報に基づき、予め保存手段に保存された前記原稿のオリジナルデータを抽出する抽出手段と、前記抽出手段によって抽出したオリジナルデータと前記画像読み取り手段によって読み取られた画像データとを比較してその差分をとり、前記原稿のオリジナル原稿部とそれ以外の追記部を判別する判別手段とを備えたことを特徴とする。
【０００７】
本発明の画像処理装置では、原稿を読み取って画像データを生成する画像読み取り手段と、前記画像読み取り手段で読み取られた画像データを前記原稿のオリジナルデータとして保存手段に保存する保存制御手段と、前記オリジナルデータの所在あるいは作成者に関する情報を含む特定情報を付加して前記画像データをプリント出力するプリント手段とを備えたことを特徴とする。
【０００８】
本発明の画像処理装置では、外部装置から受信した原稿ファイルを当該原稿のオリジナルデータとして保存手段に保存する保存制御手段と、前記オリジナルデータの所在あるいは作成者に関する情報を含む特定情報を付加して前記原稿ファイルをプリント出力するプリント手段とを備えたことを特徴とする。
【０００９】
本発明の画像処理システムでは、原稿の画像データを入力しこの画像データに対して所定の出力処理を行う画像入出力装置と、前記画像入出力装置と通信媒体を介して接続されたサーバ装置とクライアント装置を備えた画像処理システムにおいて、前記画像入出力装置は、原稿を読み取って画像データを生成する画像読み取り手段と、前記原稿に付加された特定情報を解読する解読手段と、前記解読手段で解読した特定情報に基づき、予め前記サーバ装置に保存された前記原稿のオリジナルデータを抽出する抽出手段と、前記抽出手段によって抽出したオリジナルデータと前記画像読み取り手段によって読み取られた画像データとを比較してその差分をとり、前記原稿のオリジナル原稿部とそれ以外の追記部を判別する判別手段とを備えたことを特徴とする。
【００１０】
本発明の画像処理方法では、原稿のオリジナルデータを保存手段に保存すると共に、前記オリジナルデータの所在あるいは作成者に関する情報を含むコード情報を付加して前記オリジナルデータを予めプリント出力しておき、前記プリント出力された原稿を前記画像読み取り手段で読み取ると共に、該原稿に付加された前記コード情報を解読する解読行程と、前記解読行程で解読したコード情報に基づき、前記保存手段に保存された前記オリジナルデータを抽出する抽出行程と、前記抽出手段によって抽出したオリジナルデータと前記画像読み取り手段によって読み取られた画像データとを比較してその差分をとり、前記原稿のオリジナル原稿部とそれ以外の追記部を判別する判別行程とを実行することを特徴とする。
【００１１】
本発明の制御プログラムでは、コンピュータで実行可能な制御プログラムであって、原稿を読み取って画像データを生成する画像読み取りステップと、前記原稿に付加された特定情報を解読する解読ステップと、前記解読ステップで解読した特定情報に基づき、予め保存手段に保存された前記原稿のオリジナルデータを抽出する抽出ステップと、前記抽出ステップによって抽出したオリジナルデータと前記画像読み取りステップによって読み取られた画像データとを比較してその差分をとり、前記原稿のオリジナル原稿部とそれ以外の追記部を判別する判別ステップとを備えたことを特徴とする。
【００１２】
【発明の実施の形態】
以下、本発明の実施の形態を図面に基づいて説明する。
【００１３】
＜画像入出力システムの全体構成＞
図１は、本発明の実施の一形態に係る画像入出力装置の全体構成を示すブロック図である。
【００１４】
この画像入出力装置は、コントローラ部１１０、操作部１８０、リーダ部２００、及びプリンタ部３００で構成されている。
【００１５】
リーダ部２００は、原稿画像を光学的に読み取り、画像データに変換する装置であり、原稿を読み取るための機能を持つスキャナユニット２１０と、原稿を搬送するための機能を持つ原稿給紙ユニット２５０と、電子透かし情報やバーコードの情報を読み取るコード解読ユニット２８０とで構成される。
【００１６】
プリンタ部３００は、記録紙を搬送し、その上に画像データを可視画像として印字して装置外に排紙する装置であり、複数種類の記録紙カセットを持つ給紙ユニット３１０と、画像データを記録紙に転写、定着させる機能を持つマーキングユニット３２０と、印字された記録紙をソート、ステイプルして機外へ出力する機能を持つ排紙ユニット３３０とで構成される。
【００１７】
コントローラ部１１０は、リーダ部２００及びプリンタ部３００に電気的に接続され、さらにネットワーク４００を介して、クライアントＰＣ４０１，４０２とサーバ４１０に接続されている。なお、サーバ４１０は、本画像入出力装置１００内に設置される場合もある。
【００１８】
コントローラ部１１０は、リーダ部２００を制御して原稿の画像データを読み込み、プリンタ部３００を制御して画像データを記録用紙に出力して複写機能を提供する。そして、この複写機能によって原稿を複写する際に、コントローラ部１１０は、原稿の画像データをサーバ４１０あるいはコントローラ部１１０内のＤＲＡＭ１２２（後述する図５参照）に蓄積し、その原稿のオリジナルデータの所在及び作成者やアクセス権限等の情報をコード情報として、電子透かし技術あるいはバーコード等を用いて、出力される用紙に付加する機能を備えている。
【００１９】
さらに、コントローラ部１１０は、リーダ部２００から読み取った画像データをコードデータに変換し、ネットワーク４００を介してクライアント４０１，４０２へ送信するスキャナ機能と、クライアント４０１，４０２からネットワーク４００を介して受信したコードデータを画像データに変換し、プリンタ部３００へ出力するプリンタ機能を提供する。そして、クライアント４０１，４０２からファイルをプリントアウトする際に、コントローラ部１１０は、原稿の画像データをサーバ４１０あるいはコントローラ部１１０内のＤＲＡＭ１２２に蓄積し、その原稿のオリジナルデータの所在及び作成者やアクセス権限等の情報をコード情報として、電子透かし技術あるいはバーコード等を用いて、出力される用紙に付加する機能を備えている。
【００２０】
また、コントローラ部１１０は、原稿の読み取り画像データに付加されたコード情報をコード解読ユニット２８０で読み取り、その情報に応じてサーバ４１０からオリジナルデータを読み出して、プリンタ部３００あるいはクライアント４０１，４０２へ送信する機能を提供し、さらに、手書きメモ部識別モードの設定時には、サーバ４１０等から読み出したオリジナルデータとスキャナユニット２１０で読み取った画像信号を比較し差分をとって原稿のオリジナル原稿部と手書きメモ部を識別する機能も提供する。
【００２１】
操作部１８０は、液晶タッチパネルで構成され、コントローラ部１１０に接続されて画像入出力装置１００を操作するためのユーザＩ／Ｆを提供する。そして、前記手書きメモ部識別モードを選択設定する機能を有し、操作者による選択操作により、原稿のオリジナル原稿部及び手書きメモ部の何れか一方または両方をプリンタ部３００でプリント出力するように設定することが可能である。
【００２２】
なお、前記手書きメモ部識別モードの選択設定は、ネットワーク上のクライアント４０１，４０２からも可能である。
【００２３】
＜手書きメモ部識別処理＞
次に、本実施形態の特徴的な動作について、図２のフローチャートを参照しつつ説明する。なお、図２は、スキャナユニット２１０で読み込んだ画像データから、原稿に追記された手書きメモ部を識別するコントローラ部１１０の処理手順を示すフローチャートである。このフローチャートに従ったプログラムを、例えば後述するハードディスク１３２に格納し動作することにより、次の制御方法を実現させることが可能となる。
【００２４】
まず、スキャナユニット２１０で読み取った画像原稿を複写する場合には、その原稿のオリジナルデータの所在あるいは作成者やアクセス権限等の情報がコード情報として、電子透かしあるいはバーコード等で追加されてプリント出力される。これと同時に、スキャナユニット２１０で読み取った画像データは、当該原稿のオリジナルデータとして予めサーバ４１０に蓄えられる。
【００２５】
また、クライアント４０１または４０２からオリジナル原稿（ファイル）をＬＡＮ４００を介してプリンタ部３００でプリント出力する場合も、同様にして、その原稿のオリジナルデータの所在あるいは作成者やアクセス権限等の情報がコード情報として、電子透かしあるいはバーコード等で追加されてプリント出力される。
【００２６】
そして、上記コード情報が付加されて出力された用紙に対して、原稿作成者等によって手書きメモ等の追記がなされた後、例えばこの手書きメモ部分を印刷する場合には、当該原稿を原稿給送ユニット２５０にセットし、操作部１８０において手書きメモ部識別モードを選択して、スタートする。
【００２７】
前記手書きメモ部が追記された原稿は、スキャナユニット２１０で読み取られ（ステップＳ１１）、読み取った原稿（図３（ａ）参照）の中から、バーコードあるいは電子透かし技術等によって付加されたコード情報をコード解読ユニット２８０で解読し（ステップＳ１２，ステップＳ１３）、そのコード情報を基にサーバ４１０から原稿のオリジナルデータ（図３（ｂ）参照）を抽出する（ステップＳ１４）。このオリジナルデータを、スキャナユニット２１０で読み込んだ手書きメモ部を有する画像データから差し引くことによって（ステップＳ１５）、追記された手書きメモ部のデータ（図３（ｃ）参照）を識別して、オリジナル原稿部とは別に例えばコントローラ部１１０のＤＲＡＭ１２２（図５参照）に保存する（ステップＳ１６）。
【００２８】
その後は、操作部１８０から、上記識別した手書きメモ部の出力処理の形式を選択する。例えば、▲１▼図３（ｃ）に示すような原稿の手書きメモ部のみを印刷するケース、▲２▼図３（ｂ）に示すようなオリジナル原稿部のみを印刷するケース、▲３▼図３（ａ）に示すようなオリジナル原稿部に手書きメモ部を加えて印刷するケース、の３つケースの中から一つを選択可能である。
【００２９】
なお、操作部１８０から出力処理の形式を選択するのではなく、例えばリーダ部２００、またはドライバソフトで出力処理の形式を選択するようにしても良い。あるいは、原稿作成者が選択した出力処理の形式を、予めオリジナル原稿に情報として付加しておき、この情報を解読して自動的に出力処理の形式を選択するようにすることも可能である。
【００３０】
このように本実施形態では、原稿のオリジナルデータ部とそれに手書きで加えた手書きメモ部とを区別して抽出することができ、さらには、原稿のオリジナルデータ部のみ、または手書きメモ部のみ、あるいは原稿のオリジナルデータ部と手書きメモ部の双方を選択して出力することも可能である。
【００３１】
以下、図４〜図１２を用いて、本実施形態の画像入出力装置１００の構成を詳細に説明する。
【００３２】
＜リーダ部２００及びプリンタ部３００の断面構成＞
図４は、リーダ部２００及びプリンタ部３００の断面概観図である。
【００３３】
リーダ部の原稿給送ユニット２５０は原稿を先頭順に１枚ずつプラテンガラス２１１上へ給送し、原稿の読み取り動作終了後、プラテンガラス２１１上の原稿を排出するものである。原稿がプラテンガラス２１１上に搬送されると、ランプ２１２を点灯し、そして光学ユニット２１３の移動を開始させて、原稿を露光走査する。この時の原稿からの反射光は、ミラー２１４、２１５、２１６及びレンズ２１７によってＣＣＤイメージセンサ（以下ＣＣＤという）２１８へ導かれる。このように、走査された原稿の画像はＣＣＤ２１８によって読み取られる。
【００３４】
２２２はリーダ画像処理回路部であり、ＣＣＤ２１８から出力される画像データに所定の処理を施し、スキャナＩ／Ｆを介してコントローラ部１１０へと出力するところである。
【００３５】
３５２はプリンタ画像処理回路部であり、プリンタＩ／Ｆ１４５を介してコントローラ部１１０から送られる画像信号をレーザドライバへと出力するところである。
【００３６】
プリンタ部３００のレーザドライバ３１７はレーザ発光部３１３〜３１６を駆動するものであり、プリンタ画像処理部３５２から出力された画像データに応じたレーザ光をレーザ発光部３１３〜３１６を発光させる。このレーザ光はミラー３４０〜３５１によって感光ドラム３２５〜３２８に照射され、感光ドラム３２５、３２６、３２７、３２８にはレーザ光に応じた潜像が形成される。３２１、３２２、３２３、３２４は、それぞれブラック（Ｂｋ）、イエロー（Ｙ）、シアン（Ｃ）、マゼンダ（Ｍ）のトナーによって、潜像を現像するための現像器であり、現像された各色のトナーは、用紙に転写されフルカラーのプリントアウトがなされる。
【００３７】
用紙カセット３６０、３６１及び手差しトレイ３６２の何れかより、レーザ光の照射開始と同期したタイミングで給紙された用紙は、レジストローラ３３３を経て、転写ベルト３３４上に吸着され、搬送される。そして、感光ドラム３２５、３２６、３２７、３２８に付着された現像剤を記録紙に転写する。現像剤の乗った記録紙は定着部３３５に搬送され、定着部３３５の熱と圧力により現像剤は記像紙に定着される。定着部３３５を通過した記録紙は排出ローラ３３６によって排出され、排紙ユニット３７０は排出された記録紙を束ねて記録紙の仕分けをしたり、仕分けされた記録紙のステイプルを行う。
【００３８】
また、両面記録が設定されている場合は、排出ローラ３３６のところまで記録紙を搬送した後、排出ローラ３３６の回転方向を逆転させ、フラッパ３３７によって再給紙搬送路３３８へ導く。再給紙搬送路３３８へ導かれた記録紙は上述したタイミングで転写ベルト３３４へ給紙される。
【００３９】
＜リーダ画像処理部の構成＞
図５は、図４に示したリーダ画像処理部２２２の詳細な構成を示すブロック図である。
【００４０】
このリーダ画像処理部２２２では、プラテンガラス２１１上の原稿はＣＣＤ２１８に読み取られて電気信号に変換される（ＣＣＤ２１８はカラーセンサの場合、ＲＧＢのカラーフィルタが１ラインＣＣＤ上にＲＧＢ順にインラインに乗ったものでも、３ラインＣＣＤで、それぞれＲフィルタ・Ｇフィルタ・ＢフィルタをそれぞれのＣＣＤ毎に並べたものでも構わないし、フィルタがオンチップ化または、フィルタがＣＣＤと別構成になったものでも構わない）。そして、その電気信号（アナログ画像信号）は画像処理部２２２に入力され、クランプ＆Ａｍｐ．＆Ｓ／Ｈ＆Ａ／Ｄ部４０１でサンプルホールド（Ｓ／Ｈ）され、アナログ画像信号のダークレベルを基準電位にクランプし、所定量に増幅され（上記処理順番は表記順とは限らない）、Ａ／Ｄ変換されて、例えばＲＧＢ各８ビットのディジタル信号に変換される。そして、ＲＧＢ信号はシェーディング部４０２で、シェーディング補正及び黒補正が施された後、コントローラ部１１０へと出力される。
【００４１】
＜コントローラ部１１０の構成＞
図６は、コントローラ部１１０の構成を示すブロック図である。
【００４２】
メインコントローラ１１１は、主にＣＰＵ１１２と、バスコントローラ１１３、各種Ｉ／Ｆコントローラ回路とから構成される。
【００４３】
ＣＰＵ１１２とバスコントローラ１１３はコントローラ部１１０全体の動作を制御するものであり、ＣＰＵ１１２はＲＯＭ１２０からＲＯＭ　Ｉ／Ｆ１２１を経由して読み込んだプログラムに基づいて動作する。また、クライアント４０１，４０２から受信したＰＤＬ（ページ記述言語）コードデータを解釈し、ラスターイメージデータに展開する動作も、このプログラムに記述されており、ソフトウェアによって処理される。バスコントローラ１１３は各Ｉ／Ｆから入出力されるデータ転送を制御するものであり、バス競合時の調停やＤＭＡデータ転送の制御を行う。また、手書きメモ部識別モードをユーザにより選択されたときは、スキャナ画像処理部１５７で解読された原稿の付加情報を基に、ネットワーク上あるいは機内サーバ４１０から原稿のオリジナルデータを抽出する。
【００４４】
ＤＲＡＭ１２２はＤＲＡＭＩ／Ｆ１２３によってメインコントローラ１１１と接続されており、ＣＰＵ１１２が動作するためのワークエリアや、画像データを蓄積するためのエリアとして使用される。調歩同期シリアル通信コントローラ１１４はリーダ部２００、プリンタ部３００の各ＣＰＵとシリアルバス１７２，１７３を介して制御コマンドを送受信し、操作部１８０のタッチパネルやキー入力の通信を行う。
【００４５】
ＮｅｔｗｏｒｋＣｏｎｔｏｒｌｌｅｒ１２５はＩ／Ｆ１２７によってメインコントローラ１１１と接続され、コネクタ１２６によって外部ネットワークと接続される。ネットワークとしては一般的にＬＡＮやイーサネット（登録商標）が挙げられる。シリアルコネクタ１２４はメインコントローラ１１１と接続されて、外部機器との通信を行う。シリアルバスとしては一般的にＵＳＢが挙げられる。
【００４６】
ＦＡＮ１２８はメインコントローラ１１１に接続され、コントローラ部１１０を冷却するのに用いる。温度監視ＩＣ１４２はシリアルバス１４３によってメインコントローラ１１１に接続されている。温度監視ＩＣ１４２はＦＡＮ１２８の制御や、リアルタイムクロックモジュール１３７の温度補正等に用いられる。汎用高速バス１３０には、拡張ボードを接続するための拡張コネクタ１３５とＩ／Ｏ制御部１２６、ＨＤコントローラ１３１、Ｃｏｄｅｃ１３３とが接続される。汎用高速バスとしては、一般的にＰＣＩバスが挙げられる。
【００４７】
Ｃｏｄｅｃ１３３は、ＤＲＡＭ１２２に蓄積されたラスターイメージデータをＭＨ／ＭＲ／ＭＭＲ／ＪＢＩＧ／ＪＰＥＧ等の方式で圧縮し、また逆に圧縮され蓄積されたコードデータをラスターイメージデータに伸長する。ＳＲＡＭ１３４はＣｏｄｅｃ１３３の一時的なワーク領域として使用される。ＤＲＡＭ１２２との間のデータの転送は、バスコントローラ１１３によって制御されＤＭＡ転送される。
【００４８】
ＨＤコントローラ１３１は、外部記憶装置を接続するためのものである。本実施形態においては、このＩ／Ｆを介してハードディスクドライブ１３２を接続している。ハードディスク１３２はプログラムを格納したり、画像データを記憶するのに用いている。
【００４９】
Ｉ／Ｏ制御部１２６は、データバス１４４の制御を行い、ポート１４５や割り込み１４６の制御を行う。パネルＩ／Ｆ１４１は、ＬＣＤコントローラ１４０に接続され、操作部１８０上の液晶画面に表示を行うためのＩ／Ｆと、ハードキーやタッチパネルキーの入力を行うためのキー入力Ｉ／Ｆ１７１とから構成される。
【００５０】
操作部１８０は液晶表示部と液晶表示部上に張り付けられたタッチパネル入力装置と、複数個のハードキーを有する。タッチパネルまたはハードキーにより入力された信号は前述したパネルＩ／Ｆ１７１を介してＣＰＵ１１２に伝えられ、液晶表示部はパネルＩ／Ｆ１４１から送られてきた画像データを表示するものである。液晶表示部には、本画像形成装置の操作における機能表示や画像データ等を表示する。
【００５１】
リアルタイムクロックモジュール１３７は、機器内で管理する日付と時刻を更新／保存するためのもので、バックアップ電池１３８によってバックアップされている。ＳＲＡＭ１３９はバックアップ電池１３８でバックアップされ、ユーザモードや各種設定情報や、ハードディスクドライブ１３２のファイル管理情報等を蓄積している。
【００５２】
ＧｒａｐｈｉｃＰｒｏｃｅｓｓｏｒ１５１は、ＤＲＡＭ１２２に蓄積された画像データに対して、画像回転、画像変倍、色空間変換、二値化、スキャナ画像入力、プリンタ画像出力の処理を行う。ＤＲＡＭ１５２はＧｒａｐｈｉｃＰｒｏｃｅｓｓｏｒ１５１の一時的なワーク領域として使用される。ＧｒａｐｈｉｃＰｒｏｃｅｓｓｏｒ１５１はＩ／Ｆ１５０を介してメインコントローラ１１１と接続され、ＤＲＡＭ１２２との間のデータの転送は、バスコントローラ１１３によって制御されＤＭＡ転送される。
【００５３】
コネクタ１６０と１５５は、それぞれリーダ部２００とプリンタ部３００とに接続され、同調歩同期シリアルＩ／Ｆ（１７３，１７２）とビデオＩ／Ｆ（１６３，１６２）とから構成される。スキャナ画像処理部１５７は、コネクタ１６０を介してリーダ部２００と接続され、また、スキャナバス１６１によってＧｒａｐｈｉｃＰｒｏｃｅｓｓｏｒ１５１と接続されており、リーダ部２００から受け取った画像に対して所定の処理を施す機能を有し、さらに、リーダ部２００から送られたビデオ制御信号をもとに生成した制御信号を、スキャナバス１６１に出力する機能も有する。また、リーダ部２００で読み込まれたコードを解読し、原稿の付加情報をメインコントローラへ出力する。
【００５４】
ＦＩＦＯ１５８はスキャナ画像処理部１５７と接続され、リーダ部２００から送られてくるビデオ信号のライン補正を行うのに用いられる。プリンタ画像処理部１５３は、コネクタ１５５を介してプリンタ部３００と接続され、また、プリンタバス１５６によってＧｒａｐｈｉｃＰｒｏｃｅｓｓｏｒ１５１と接続されており、ＧｒａｐｈｉｃＰｒｏｃｅｓｓｏｒ１５１から出力された画像データに所定の処理を施して、プリンタ部３００へ出力する機能を有し、さらに、プリンタ部３００から送られたビデオ制御信号をもとに生成した制御信号を、プリンタバス１６２に出力する機能も有する。また、原稿の情報をコード情報として付加してプリントする機能も有する。
【００５５】
ＤＲＡＭ１５４はプリンタ画像処理部１５３に接続され、ビデオ信号を一定時間遅延させるのに用いられる。ＤＲＡＭ１２２上に展開されたラスターイメージデータのプリンタ部３００への転送は、バスコントローラ１１３によって制御され、ＧｒａｐｈｉｃＰｒｏｃｅｓｓｏｒ１５１、プリンタ画像処理部１５３、コネクタ１５５を経由して、プリンタ部３００へＤＭＡ転送される。
【００５６】
＜スキャナ画像処理部の構成＞
図７は、スキャナ画像処理部１５７の詳細な構成を示すブロック図である。
【００５７】
リーダ部２００からコネクタ１６０を介して送られる画像信号に対して、つなぎ＆ＭＴＦ補正部６０１で読取速度に応じてライン毎の遅延量を調整し、読取速度によって変化したＭＴＦを補正する。ＣＣＤ２１８が３ラインＣＣＤの場合、つなぎ処理は３ラインの読取位置が同じになるように信号タイミングを補正する。ＦＩＦＯ１５８はライン遅延のバッファとして用いる。読取位置タイミングが補正されたディジタル信号は入力マスキング部６０２によって、ＣＣＤ２１８の分光特性及びランプ２１２及びミラー２１４、２１５、２１６の分光特性を補正する。入力マスキング部６０２の出力はＡＣＳカウント部４０５及びＧｒａｐｈｉｃＰｒｏｃｅｓｓｏｒ１５１へと送られる。
【００５８】
＜ＡＣＳカウント部の構成＞
図８は、ＡＣＳ（オートカラーセレクト）カウント部の構成を示すブロック図である。
【００５９】
オートカラーセレクト（以下ＡＣＳ）は、原稿がカラーなのか白黒なのかを判断する。つまり画素毎の彩度を求めてある閾値以上の画素がどれだけ存在するかでカラー判定を行うものである。しかし、白黒原稿であっても、ＭＴＦ等の影響により、ミクロ的に見るとエッジ周辺に色画素が多数存在し、単純に画素単位でＡＣＳ判定を行うのは難しい。このＡＣＳ手法はさまざまな方法が提供されているが、本実施形態ではＡＣＳの方法には拘らないため、一般的な手法で説明を行う。
【００６０】
前記したように、白黒画像でもミクロ的に見ると色画素が多数存在するわけであるから、その画素が本当に色画素であるかどうかは、注目画素に対して周辺の色画素の情報で判定する必要がある。５０１はそのためのフィルタであり、注目画素に対して周辺画素を参照するためにＦＩＦＯの構造をとる。５０２はメインコントローラ１１１からセットされた５０７〜５１０のレジスタに設定された値と、リーダ部２００から送られたビデオ制御信号５１２を基に、ＡＣＳをかける領域信号５０５を作成する回路である。５０３の色判定部は、ＡＣＳをかける領域信号５０５に基づき、注目画素に対してフィルタ５０１のメモリ内の周辺画素を参照し、注目画素が色画素か白黒画素かを決定するための色判定部である。５０４は５０３の色判定部が出力した色判定信号の個数を数えるカウンタである。
【００６１】
メインコントローラ１１１は読み込み範囲に対してＡＣＳをかける領域を決定し、５０７〜５１０のレジスタに設定する（本実施形態では、原稿に対して独立で範囲を決める構成をとる）。また、メインコントローラ１１１はＡＣＳをかける領域内での色判定信号の個数を計数するカウンタの値を、所定の閾値と比較し、当該原稿がカラーなのか白黒なのかを判断する。
【００６２】
５０７〜５１０のレジスタには、主走査方向、副走査方向それぞれについて、色判定部５０３が判定を開始する位置、判定を終了する位置を、リーダ部２００から送られたビデオ制御信号５１２に基づいて設定しておく。本実施形態では、実際の原稿の大きさよりもそれぞれ１０ｍｍ程度小さめに設定している。
【００６３】
＜プリンタ画像処理部の構成＞
図９は、プリンタ画像処理部１５３の詳細な構成を示すブロック図である。
【００６４】
ＧｒａｐｈｉｃＰｒｏｃｅｓｓｏｒ１５１から、プリンタバス１５６を介して送られる画像信号は、まずＬＯＧ変換部７０１に入力される。ＬＯＧ変換部７０１では、ＬＯＧ変換でＲＧＢ信号からＣＭＹ信号に変換する。次にモアレ除去部７０２でモアレが除去される。７０３はＵＣＲ＆マスキング部で、モアレ除去処理されたＣＭＹ信号はＵＣＲ処理でＣＭＹＫ信号が生成され、マスキング処理部でプリンタの出力にあった信号に補正される。ＵＣＲ＆マスキング部７０３で処理された信号はγ補正部７０４で濃度調整された後フィルタ部７０５でスムージングまたはエッジ処理される。出力切り替え７０６で、感光ドラム３２５〜３２８のドラム間の距離ｄを補正するためにＤＲＡＭ１５４にＣＭＹＫ画像毎に一旦画像を蓄積し、ドラム間の距離を補正した画像をコネクタ１５５を介してプリンタ部３００へ送る。
【００６５】
＜ＧｒａｐｈｉｃＰｒｏｃｅｓｓｏｒの構成＞
図１０は、ＧｒａｐｈｉｃＰｒｏｃｅｓｓｏｒ１５１の詳細な構成を示すブロック図である。
【００６６】
ＧｒａｐｈｉｃＰｒｏｃｅｓｓｏｒ１５１は、画像回転、画像変倍、色空間変換、二値化、スキャナ画像入力、及びプリンタ画像出力の各処理をそれぞれ行うモジュールを有する。ＤＲＡＭ１５２はＤＲＡＭコントローラ８０８を介して各々のモジュールの一時的なワーク領域として使用される。各々のモジュールが用いるＤＲＡＭ１５２のワーク領域が競合しないよう、予め各々のモジュール毎にワーク領域が静的に割り当てを行う。ＧｒａｐｈｉｃＰｒｏｃｅｓｓｏｒ１５１はＩ／Ｆ１５０を介してメインコントローラ１１１と接続され、ＤＲＡＭ１２２との間のデータの転送は、バスコントローラ１１３によって制御されＤＭＡ転送される。
【００６７】
バスコントローラ１１３は、ＧｒａｐｈｉｃＰｒｏｃｅｓｓｏｒ１５１の各々のモジュールにモード等を設定する制御及び、各々のモジュールに画像データを転送するためのタイミング制御を行う。
【００６８】
入力インターフェース８１０はＩ／Ｆ１５０から入力された画像データをＣｒｏｓｓＢｅｒＳｗｉｔｃｈ８０９に入力する。画像データ形式は２値ラスターイメージデータ、多値ラスターイメージデータ、ＪＰＥＧ等を扱い、ＪＰＥＧ画像の場合は入力インターフェース８１０にてラスターイメージデータに変換してＣｒｏｓｓＢｅｒＳｗｉｔｃｈ８０９にデータ出力する。
【００６９】
出力インターフェース８１１はＣｒｏｓｓＢｅｒＳｗｉｔｃｈ８０９から入力された画像データをＩ／Ｆ１５０に出力する。ＣｒｏｓｓＢｅｒＳｗｉｔｃｈ８０９から入力される画像データ形式はラスターイメージデータであるが、出力インターフェース８１１でＪＰＥＧ圧縮を行ってＩ／Ｆ１５０にデータ出力することも行える。
【００７０】
＜画像回転部８０１の処理＞
次に、図１０に示したＧｒａｐｈｉｃＰｒｏｃｅｓｓｏｒ１５１中の画像回転部８０１の処理手順について、図１１及び図１２を参照して説明する。
【００７１】
Ｉ／Ｆ１５０を介して、ＣＰＵ１１２からバスコントローラ１１３に画像回転制御のための設定を行う。この設定によりバスコントローラ１１３は画像回転部８０１に対して画像回転に必要な設定（例えば画像サイズや回転方向・角度等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。なお、ここでは回転を行う画像サイズを３２画素×３２ラインとし、また、画像バス２００８上に画像データを転送させる際に２４ｂｙｔｅ（ＲＧＢ各々８ｂｉｔで１画素分）を単位とする画像転送を行うものとする。
【００７２】
上述のように、３２画素×３２ラインの画像を得るためには、上述の単位データ転送を３２×３２回行う必要があり、且つ不連続なアドレスから画像データを転送する必要がある（図１１参照）。
【００７３】
不連続アドレッシングにより転送された画像データは、読み出し時に所望の角度に回転されているように、ＳＲＡＭ１３６に書き込まれる。例えば、９０度反時計方向回転であれば、転送される画像データを、図１２のようにＹ方向に書き込んでいく。読み出し時にＸ方向に読み出すことで、画像が回転される。
【００７４】
３２画素×３２ラインの画像回転（ＤＲＡＭ１５２への書き込み）が完了した後、画像回転部８０１はＤＲＡＭ１５２から上述した読み出し方法で画像データを読み出し、バスコントローラ１１３に画像を転送する。
【００７５】
回転処理された画像データを受け取ったバスコントローラ１１３は、連続アドレッシングを以て、ＤＲＡＭ１２２もしくはＩ／Ｆ上の各デバイスにデータを転送する。
【００７６】
こうした一連の処理は、ＣＰＵ１１２からの処理要求が無くなるまで（必要なページ数の処理が終わったとき）繰り返される。
【００７７】
＜画像変倍部８０２の処理＞
次に、図１０に示したＧｒａｐｈｉｃＰｒｏｃｅｓｓｏｒ１５１中の画像変倍部８０２における処理手順を説明する。
【００７８】
Ｉ／Ｆ１５１を介して、ＣＰＵ１１２からバスコントローラ１１３に画像変倍制御のための設定を行う。この設定によりバスコントローラ１１３は画像変倍部８０２に対して画像変倍に必要な設定（主走査方向の変倍率、副走査方向の変倍率、変倍後の画像サイズ等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。
【００７９】
画像変倍部８０２は、受け取った画像データを一時ＤＲＡＭ１５２に格納し、これを入力バッファとして用いて、格納したデータに対して主走査、副走査の変倍率に応じて必要な画素数、ライン数の分の補間処理を行って画像を拡大もしくは縮小することで、変倍処理とする。変倍後のデータは再度ＤＲＡＭ１５２へ書き戻し、これを出力バッファとして画像変倍部８０２はＤＲＡＭ１５２から画像データを読み出し、バスコントローラ１１３に転送する。
【００８０】
変倍処理された画像データを受け取ったバスコントローラ１１３は、ＤＲＡＭ１２２もしくはＩ／Ｆ上の各デバイスにデータを転送する。
【００８１】
＜色空間変換部８０３の処理＞
次に、図１０に示したＧｒａｐｈｉｃＰｒｏｃｅｓｓｏｒ１５１中の色空間変換部８０３における処理手順を説明する。
【００８２】
Ｉ／Ｆ１５０を介して、ＣＰＵ１１２からバスコントローラ１１３に色空間変換制御のための設定を行う。この設定によりバスコントローラ１１３は色空間変換部８０３及びＬＵＴ（ルック・アップ・テーブル）８０４に対して色空間変換処理に必要な設定（後述のマトリックス演算の係数、ＬＵＴ８０４のテーブル値等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。
【００８３】
色空間変換部８０３は、受け取った画像データ１画素毎に対して、まず図１３に示す式で表される３×３のマトリックス演算を施す。
【００８４】
この式において、Ｒ、Ｇ、Ｂが入力、Ｘ、Ｙ、Ｚが出力、ａ１１、ａ１２、ａ１３、ａ２１、ａ２２、ａ２３、ａ３１、ａ３２、ａ３３、ｂ１、ｂ２、ｂ３、ｃ１、ｃ２、ｃ３がそれぞれ係数である。
【００８５】
上記演算によって、例えばＲＧＢ色空間からＹｕｖ色空間への変換など、各種の色空間変換を行うことができる。
【００８６】
次に、マトリックス演算後のデータに対して、ＬＵＴ８０４による変換を行う。これによって、非線形の変換をも行うことができる。当然、スルーのテーブルを設定することにより、実質的にＬＵＴ変換を行わないこともできる。
【００８７】
その後、色空間変換部８０３は色空間変換処理された画像データをバスコントローラ１１３に転送する。
【００８８】
色空間変換処理された画像データを受け取ったバスコントローラ１１３は、ＤＲＡＭ１２２もしくはＩ／Ｆ上の各デバイスにデータを転送する。
【００８９】
＜画像二値化部８０５の処理＞
次に、図１０に示したＧｒａｐｈｉｃＰｒｏｃｅｓｓｏｒ１５１中の画像二値化部８０５における処理手順を説明する。
【００９０】
Ｉ／Ｆ１５０を介して、ＣＰＵ１１２からバスコントローラ１１３に二値化制御のための設定を行う。この設定によりバスコントローラ１１３は画像二値化部８０５に対して二値化処理に必要な設定（変換方法に応じた各種パラメータ等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。
【００９１】
画像二値化部８０５は、受け取った画像データに対して二値化処理を施す。本実施形態では、二値化の手法としては、画像データを所定の閾値と比較して単純に二値化するものとする。もちろん、ディザ法、誤差拡散法、誤差拡散法を改良したものなど、何れの手法によっても構わない。
【００９２】
その後、画像二値化部８０５は二値化処理された画像データをバスコントローラ１１３に転送する。
【００９３】
二値化処理された画像データを受け取ったバスコントローラ１１３は、ＤＲＡＭ１２２もしくはＩ／Ｆ上の各デバイスにデータを転送する。
【００９４】
＜スキャナ入力部８０６の処理＞
次に、図１０に示したＧｒａｐｈｉｃＰｒｏｃｅｓｓｏｒ１５１中のスキャナ入力部８０６における処理手順を説明する。
【００９５】
Ｉ／Ｆ１５０を介して、ＣＰＵ１１２からバスコントローラ１１３にスキャナ入力制御のための設定を行う。この設定によりバスコントローラ１１３はスキャナ入力部８０６に対して必要な設定（入力処理に応じた各種パラメータ等）を行う。必要な設定を行った後に、再度ＣＰＵ１１２からバスコントローラ１１３に対して画像データ転送の許可を行う。その後、スキャナ画像処理部１５７から入力される同期信号に同期して画像データがスキャナ入力部８０６に入力される。スキャナ入力部８０６は受け取った画像データを入力バッファとして一旦ＤＲＡＭ１５２に格納する。その後スキャナ入力部はＤＲＡＭ１５２に格納した画像をバスコントローラ１１３に転送する。スキャナ入力画像データを受け取ったバスコントローラ１１３は、ＤＲＡＭ１２２もしくはＩ／Ｆ上の各デバイスにデータを転送する。
【００９６】
＜プリンタ出力部８０７の処理＞
次に、図１０に示したＧｒａｐｈｉｃＰｒｏｃｅｓｓｏｒ１５１中のプリンタ出力部８０７における処理手順を説明する。
【００９７】
Ｉ／Ｆ１５０を介して、ＣＰＵ１１２からバスコントローラ１１３にプリンタ出力制御のための設定を行う。この設定によりバスコントローラ１１３はプリンタ出力部８０７に対して必要な設定（出力処理に応じた各種パラメータ等）を行う。必要な設定を行った後に、再度ＣＰＵ１１２からバスコントローラ１１３に対して画像データ転送の許可を行う。この許可に従い、バスコントローラ１１３はＤＲＡＭ１２２もしくは各Ｉ／Ｆを介して接続されているデバイスから画像データの転送を開始する。
【００９８】
プリンタ出力部８０７は受け取った画像データを一旦ＤＲＡＭ１５２に格納する。その後プリンタ画像処理部１５３から入力される同期信号に応じてＤＲＡＭ１５２に格納した画像をプリンタ画像処理部１５３に出力する。
【００９９】
なお、本発明は、上述した実施形態の装置に限定されず、複数の機器から構成されるシステムに適用しても、一つの機器から成る装置に適用しても良い。前述した実施形態の機能を実現するソフトウェアのプログラムコードを記憶した記憶媒体をシステムあるいは装置に供給し、そのシステムあるいは装置のコンピュータ（またはＣＰＵやＭＰＵ）が記憶媒体に格納されたプログラムコードを読み出し実行することによっても、完成されることは言うまでもない。
【０１００】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部または全部を行い、その処理によって前述した実施形態の機能が実現される場合も含まれることは言うまでもない。
【０１０１】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部または全部を行い、その処理によって前述した実施形態の機能が実現される場合も含まれることは言うまでもない。
【０１０２】
【発明の効果】
以上説明したように、本発明によれば、原稿のオリジナル原稿部と、それに手書きで加えた手書きメモ部分などの追記部とを区別して抽出することができ、また原稿のオリジナル原稿部のみ、または追記部のみ、あるいは原稿のオリジナル原稿部と追記部の双方を選択して出力することも可能である。
【図面の簡単な説明】
【図１】本発明の実施の一形態に係る画像入出力装置の全体構成を示すブロック図である。
【図２】手書きメモ部の識別処理を示すフローチャートである。
【図３】原稿のオリジナル原稿部と追記した手書きメモ部の判別例を示す図である。
【図４】リーダ部２００及びプリンタ部３００の断面概観図である。
【図５】図４に示したリーダ画像処理部２２２の詳細な構成を示すブロック図である。
【図６】コントローラ部１１０の構成を示すブロック図である。
【図７】スキャナ画像処理部１５７の詳細な構成を示すブロック図である。
【図８】ＡＣＳ（オートカラーセレクト）カウント部の構成を示すブロック図である。
【図９】プリンタ画像処理部１５３の詳細な構成を示すブロック図である。
【図１０】ＧｒａｐｈｉｃＰｒｏｃｅｓｓｏｒ１５１の詳細な構成を示すブロック図である。
【図１１】画像回転部の動作を説明する図である。
【図１２】画像回転部の動作を説明する図である。
【図１３】色空間変換部において実行されるマトリックス演算の演算式を表す図である。
【符号の説明】
１００　画像入出力装置
１１０　コントローラ部
１７０　ＣＤ−ＲＯＭ
１８０　操作部
２００　リーダ部
２１０　スキャナユニット
２５０　原稿給紙ユニット
２８０　コード解読ユニット
３００　プリンタ部
３１０　給紙ユニット
３２０　マーキングユニット
３３０　排紙ユニット
４００　ＬＡＮ
４０１，４０２　クライアントＰＣ
４１０　サーバ
【図１】
2004080601.tif 000003
【図２】
2004080601.tif 000004
【図３】
2004080601.tif 000005
【図４】
2004080601.tif 000006
【図５】
2004080601.tif 000007
【図６】
2004080601.tif 000008
【図７】
2004080601.tif 000009
【図８】
2004080601.tif 000010
【図９】
2004080601.tif 000011
【図１０】
2004080601.tif 000012
【図１１】
2004080601.tif 000013
【図１２】
2004080601.tif 000014
【図１３】
2004080601.tif 000015